(57)【要約】【課題】  建設現場当に配置される足場において、足場板に設けた巾木を簡単に取り付けられ、且つものの落下を確実に抑制できる構造の巾木ダストカバーを提供する。【解決手段】  巾木ダストカバーは、所定間隔を持って配列した支柱間に足場板を配置してなる足場であって、前記それぞれの支柱に、巾木を係着する手段を備えたクランパーを固定し、対向する前記クランパー間に巾木を取り付けた構成にする。【選択図】  図１
2006266056.tif 000002
【特許請求の範囲】
【請求項１】
所定間隔を持って配列した支柱間に足場板を配置してなる足場であって、
前記それぞれの支柱に、巾木を係着する手段を備えたクランパーを固定し、対向する前記クランパー間であって巾木を前記巾木を係着する手段に取り付けてなる巾木ダストカバー。
【請求項２】
前記巾木を係着する手段は、前記巾木を挟み込んだときに、該挟み込んだ巾木を係止する係止手段を備えたことを特徴とする請求項１に記載の巾木ダストカバー。
【請求項３】
前記巾木は、長手方向に沿って線条の補強手段を備えたことを特徴とする請求項１乃至２に記載の巾木ダストカバー。
【請求項４】
前記巾木を係着する手段は、前記板部材を平行に並べて固定し、この平行に並べた板部材に巾木を挟み込んで係着することである請求項１乃至３に記載の巾木ダストカバー。
【請求項５】
前記巾木を計着する手段は、前記足場板との隙間をなくした状態で配置してなることを特徴とする請求項１に記載の巾木ダストカバー。
【発明の詳細な説明】
【技術分野】
【０００１】  本発明は、巾木ダストカバーに関し、詳しくは建築現場等において組み立てられる作業用足場において、物の落下防止のために設けられる巾木を改良したものに関する。
【背景技術】
【０００２】  従来技術における作業用足場は、基部にジャッキ型ベース金具を具備した建地（片脚枠）を垂直に所定幅を持って建て、その間に作業者が移動するための板部材で形成された足場板を配設して、作業できるスペースを確保して組み立てたものが広く一般に使用されている。
そして、この足場板のうえには作業者が走行することに加えて小物を置くおくことが必然的に行われ、この置かれた小物を作業中にふれ、移動或いは落下させてしまうという問題が以前から指摘されていた。この問題を解決すべきものとして、足場板の走行方向側縁に起立した部材、例えば足場板を立てかけたり、特注で注文した伸張自在な布枠巾木を設けて防止策を施している。
【特許文献１】特開２００２−２０１７９３号公報（第４頁  第１図）
【発明の開示】
【発明が解決しようとする課題】
【０００３】  しかし、従来技術で説明した、足場板等を立てかけて使用する場合は、その立てかけてある足場板は巾木用に作られていないため、不安定であり、且つ寸法が同じであるため持ち運びに不便であるという問題がある。
又、専用に作成された布枠巾木に関しては、場所をとらないかわりに、風雨等の外部環境に影響され、揺らぐ等して不安定であるという問題もある。
従って、取付けが簡単でしかも安定した取付けができる巾木に関して解決しなければならない課題を有する。
【課題を解決するための手段】
【０００４】  上記課題を解決するために、本願発明の巾木ダストカバーは、次に示す構成にしたことである。【０００５】（１）巾木ダストカバーは、所定間隔を持って配列した支柱間に足場板を配置してなる足場であって、前記それぞれの支柱に、巾木を係着する手段を備えたクランパーを固定し、対向する前記クランパー間であって巾木を前記巾木を係着する手段に取り付けてなることである。
（２）前記巾木を係着する手段は、前記巾木を挟み込んだときに、該挟み込んだ巾木を係止する係止手段を備えたことを特徴とする（１）に記載の巾木ダストカバー。
（３）前記巾木は、長手方向に沿って線条の補強手段を備えたことを特徴とする（１）乃至（２）に記載の巾木ダストカバー。
（４）前記巾木を係着する手段は、前記板部材を平行に並べて固定し、この平行に並べた板部材に巾木を挟み込んで係着することである（１）乃至（３）に記載の巾木ダストカバー。
（５）前記巾木を計着する手段は、前記足場板との隙間をなくした状態で配置してなることを特徴とする（１）に記載の巾木ダストカバー。
【発明の効果】
【０００６】  本提案によれば、支柱に巾木を係着する手段を備えたクランパーを取付け、この対向するクランパー間に巾木を取り付ける構成にしたことで、巾木の取付けが簡単にでき、しかも取り付けた後には簡単に外れない構造にしたことで安全性に富む巾木ダストカバーを提供することができる。
【発明を実施するための最良の形態】
【０００７】  次に、本願発明に係る巾木ダストカバーの実施例について、図面を参照して説明する。
【実施例１】
【０００８】  本願発明の巾木ダストカバーは、図１に示すように、所定間隔を持って配列した支柱１１間に足場板１２を配置してなる足場であって、それぞれの支柱１１に、巾木を係着する手段を備えたクランパー１３を固定し、対向するクランパー１３間に巾木１４を取り付けた構成になっている。【０００９】る。【０００９】  クランパー１３は、手錠形状に形成され、アーム状に形成された固定部１５、この固定部１５の一端に回動自在に取り付けられ、先端側をフォーク状にし、基部を固定部１５に回動自在に取付け、全体がアーム状に形成された把持部１６、固定部１５と把持部１６を対向させることで形成される孔の径を狭める方向に動かして締結し、広がる方向に動かして緩めるボルト１７とナット１８、固定部１５の背面側に巾木を係着する手段１９を備えた構成になっている。【００１０】  巾木を係着する手段１９は、板部材２１をＵ字状に折り曲げて平行にし、この平行にした板部材２１に巾木１４を挟み込んで係着する構成になっている。
この巾木を係着する手段１９は、巾木１４を挟み込んだときに、この挟み込んだ巾木１４を係止する係止手段２２を備えた構成になっている。
係止手段２２は、平行にした板部材２１の内部において、係止部材を取付け、巾木１４の長さ方向の寸法に合わせて動かし、或は固定させておくことができる。【００１１】  巾木１４は、図１及び図３に示すように、長尺な一枚板部材で形成され、長手方向に沿った略中央位置に線条の補強手段２３を備えた構成になっている。この補強手段２３は、板部材にく字状の襞を入れることで、長手方向の両端部を持った曲げに対する抗力が発生する。【００１２】  このような構成のクランパー１３は、先ず足場が組立てられてから、一定間隔に配列されている支柱１１にクランパー１３を取り付ける。そして、対向するクランパー１３間に巾木１４を上方向から差込むことで巾木１４の組立ては完成する。このようにして組立てられた巾木１４は、板部材で作成され且つ足場板の側縁部に備えることで、足場板上においてあるものの落下を未然に防止できるのである。
【実施例２】
【００１３】  次に、巾木ダストカバーの第２実施例を図面を参照して説明する。
第２実施例の巾木ダストカバーは、図２に示すように、足場板１２との間に隙間ができない工夫が施された巾木を係着する手段を備えたクランパーを利用するもので、支柱で支えられた足場板に対して、その足場板の内側端縁に巾木を配置する構造となっている。【００１４】  この第２実施例の巾木ダストカバーは、図２に示すように、所定間隔を持って配列した支柱１１間に足場板１２を配置してなる足場であって、それぞれの支柱１１に、巾木を係着する手段を備えたクランパー１３を固定し、対向するクランパー１３間に巾木１４を取り付けた構成になっている。【００１５】  クランパー１３は、手錠形状に形成され、アーム状に形成された固定部１５、この固定部１５の一端に回動自在に取り付けられ、先端側をフォーク状にし、基部を固定部１５に回動自在に取付け、全体がアーム状に形成された把持部１６、固定部１５と把持部１６を対向させることで形成される孔の径を狭める方向に動かし或いは広がる方向に動かすボルト１７とナット１８、固定部１５の背面側に巾木を係着する手段１９を備えた構成になっている。【００１６】  巾木を係着する手段１９は、２枚の板部材２４を内側方向に曲げ，更にクランパー１３から離れる方向に曲げ、その自由端部に空間を持たせて巾木係合係止部２５を備えた構成になっている。【００１７】  巾木１４は、図２及び図３に示すように、長尺な一枚板部材で形成され、長手方向に沿った略中央位置に線条の補強手段２３を備えた構成になっている。この補強手段２３は、板部材にく字状の襞を入れることで、長手方向の両端部を持った曲げに対する抗力が発生する。【００１８】  このような構成のクランパー１３は、先ず足場が組立てられてから、一定間隔に配列されている支柱１１に巾木を係着する手段である巾器係合係止部２５を足場板１２側に向け、且つ足場板１２に沿った状態にしてクランパー１３を取り付ける。そして、対向するクランパー１３間に巾木１４を上方向から差込むことで巾木１４の組立ては完成する。このようにして組立てられた巾木１４は、板部材で作成され且つ足場板１２の側縁部に備えることで、足場板１２との隙間をなくした状態で組立てることができ、落下を未然に防止できるのである。
【産業上の利用可能性】
【００１９】  支柱に巾木を係着する手段を備えたクランパーを取付け、この対向するクランパー間に巾木を取り付ける構成にしたことで、巾木の取付けが簡単にでき、しかも取り付けた後には簡単に外れない構造にしたことで安全性に富む巾木ダストカバーを提供する。
【図面の簡単な説明】
【００２０】
【図１】  本願発明の第１実施例の巾木ダストカバーの平面図である。
【図２】  本願発明の第２実施例の巾木ダストカバーの平面図である。
【図３】  同、巾木の平面図及び一部断面図である。
【符号の説明】
【００２１】１１      支柱
１２      足場板
１３      クランパー
１４      巾木
１５      固定部
１６      把持部
１７      ボルト
１８      ナット
１９      巾木を係着する手段
２１      板部材
２２      係止手段
２３      補強手段
２４      板部材
２５      巾木係合係止部。
【図１】
2006266056.tif 000003
【図２】
2006266056.tif 000004
【図３】
2006266056.tif 000005